(57)【特許請求の範囲】
【請求項１】
二等辺三角形をなし、等長の斜辺を構成する二つの斜辺体と底辺を構成する底辺体とを連結して構成された三角定規において、
前記二つの斜辺体の対向面、各斜辺体と底辺体との対向面はいずれも各頂角を二等分する直線と一致させてあり、前記底辺体は底辺の中点を通る垂線で２分割してあり、
前記斜辺体同士の対向部にはそれぞれ一対のヒンジ装着座が凸設され、このヒンジ装着座の対向面にはそれぞれヒンジとの係止部が形成され、この係止部に係止するヒンジによって斜辺体同士が回動可能に連結され、
前記各斜辺体と底辺体との対向面及び２分割された底辺体同士の対向面にはそれぞれヒンジ装着用の凹部が形成され、この凹部の対向面にはヒンジとの係止部が形成され、この係止部に係止するヒンジによって斜辺体と底辺体及び２分割された底辺体同士が回動可能に連結された、
三角定規
【請求項２】
斜辺体と底辺体との連結部裏面及び２分割された底辺体同士の連結部表面には、それぞれ回動を阻止するための係止片が設けられた、請求項１記載の三角定規
【発明の詳細な説明】
【技術分野】
【０００１】
この発明は、折り畳み可能な三角定規に関するものである。
【背景技術】
【０００２】
三角定規は生徒の必携文房具であるが、筆入れに入りにくく、携帯に不便である。係る課題を解決するために折り畳み可能とした三角定規として、意匠登録第１２２０７５９号の発明が提案されている。
【特許文献１】意匠登録第１２２０７５９号公報
【０００３】
上記意匠登録第１２２０７５９号の発明は、二つの斜辺を構成する左定規と右定規とをヒンジで連結し、左右の定規と底辺を構成する定規、及び２分割された底辺同士とを回転軸で連結した構成としたものである。
この発明においては、折り畳み可能で携帯に便利ではあるが、斜辺を構成する定規と底辺を構成する定規とを重ね合わせて回転軸で連結する構造であるから、斜辺と底辺との間に段差が生じるという問題点がある。
【発明の開示】
【発明が解決しようとする課題】
【０００４】
この発明は、折り畳み可能としてかつ段差が生じることのない三角定規を得ることを課題とするものである。
【課題を解決するための手段】
【０００５】
この発明の三角定規は、二等辺三角形をなし、等長の斜辺を構成する二つの斜辺体と底辺を構成する底辺体とを連結して構成する。
前記二つの斜辺体の対向面、各斜辺体と底辺体との対向面はいずれも各頂角を二等分する直線と一致させ、前記底辺体は底辺の中点を通る垂線で２分割する。
前記斜辺体同士の対向部にはそれぞれ一対のヒンジ装着座を凸設し、このヒンジ装着座の対向面にはそれぞれヒンジとの係止部を形成し、この係止部にヒンジを係止させて斜辺体同士を回動可能に連結する。
前記各斜辺体と底辺体との対向面及び２分割された底辺体同士の対向面にはそれぞれヒンジ装着用の凹部を形成し、各凹部の対向面にはヒンジとの係止部を形成し、この係止部にヒンジを係止させて斜辺体と底辺体及び２分割された底辺体同士を回動可能に連結する。
【０００６】
前記ヒンジとの係止部は、突起又は凹部とし、係止部を突起とした場合はヒンジにこの突起が嵌る凹部を設け、係止部を凹部としたときはヒンジにこの凹部に嵌る突起を設ける。
前記斜辺体及び底辺体はいずれも細長い帯状の板とすることが折り畳みの容易性からは好ましいが、各辺体の長さと幅の比率は折り畳み可能である限り制約はない。また、その材質は合成樹脂、木、竹、金属など適宜使用することができる。
【０００７】
請求項２の発明は、斜辺体と底辺体との連結部裏面及び２分割された底辺体同士の連結部表面には、それぞれ回動を阻止するための係止片を設けたものである。
【発明の効果】
【０００８】
この発明において、各辺体の対向面同士をヒンジによって連結してあるので、辺体間に段差が生じることがない。そして、２分割された底辺体の連結部を上に持ち上げると各辺体が連結部のヒンジを中心に回動し、底辺体を斜辺体に重ね合わせて折り畳むことができる。このとき、斜辺体同士の連結部は凸設されたヒンジ座を有しているので、底辺体は２枚の斜辺体の間に無理なく収まる。
請求項２の発明によれば、回動を阻止する係止片を設けたので、各辺体が上記とは逆方向に回動することがなく、三角定規として使用する際の安定性が得られる。
【発明を実施するための最良の形態】
【０００９】
直角二等辺三角形の直角を挟む等長の斜辺を構成する左斜辺体１と右斜辺体２と、底辺を構成する底辺体３とをヒンジ４ａ、４ｂ、４ｃ、４ｄ（以下まとめて「ヒンジ４」と表現する場合がある。）で連結してこの発明の三角定規を構成している。
前記左右の斜辺体１，２及び底辺体３はいずれも帯状の合成樹脂板であって、その両端はいずれも斜切してある。すなわち、左斜辺体１と右斜辺体２の対向面、左右の斜辺体１，２と底辺体３との対向面はいずれも各頂角を二等分する直線と一致させてある。また、前記底辺体３は底辺の中点を通る垂線で２分割し、左底辺体３ａと右底辺体３ｂをなしている。
【００１０】
前記左右の斜辺体１，２の対向部表面側端縁にはそれぞれ一対のヒンジ装着座５、５ａが凸設してある。このヒンジ装着座５、５ａの高さは底辺体３の厚さと同程度としてあり、折り畳んだときに左右の斜辺体１，２の間に左右の底辺体３ａ，３ｂが収まるようにしてある。
前記ヒンジ装着座５，５ａの対向面にはそれぞれヒンジとの係止部となる突起６が形成してあり、この突起６にヒンジ４ａを係止させて左右の斜辺体１，２が回動可能に連結してある。
【００１１】
前記左斜辺体１と左底辺体３ａとの対向部端面、右斜辺体２と右底辺体３ｂとの対向部端面及び左右の底辺体３ａ、３ｂの対向部端面にはそれぞれヒンジ装着用の凹部として切欠部７が形成してある。各切欠部７の対向面にはヒンジ４との係止部となる突起８が形成してあり、この突起８にヒンジ４ｂ、４ｃ、４ｄを係止させて左右の斜辺体１，２と底辺体３及び２分割された底辺体３ａ、３ｂが回動可能に連結してある。
【００１２】
前記ヒンジ４は、略円柱状で装着時に裏面側となる部分はやや扁平として各辺体の裏面から突出しない大きさとしてある。このヒンジ４の両端面にはそれぞれ２つの凹部９が左右に並べて形成してあり、左右２つの凹部９がそれぞれ異なる辺体の突起に係止することにより、二つの辺体が連結されている。
なお、ヒンジ４の両端部には環状の溝１０が形成してあり、ヒンジ４の凹部９を辺体の突起６，８に係止する際に弾性変形が容易なようにしてある。
【００１３】
前記左右の底辺体３ａ、３ｂの連結部表面において、底辺体３ａから底辺体３ｂに向けて係止片１１が突設してあり、底辺体３ｂには係止片１１の対応位置に係止片１１の厚さに対応する凹部が形成してある。また、前記左右の斜辺体１，２と左右の底辺体３ａ、３ｂの連結部裏面において、底辺体３ａ及び底辺体３ｂから左右の斜辺体１，２に向けて係止片１２が突設してあり、左右の斜辺体１，２には係止片１２の対応位置に係止片１２の厚さに対応する凹部が形成してあり、係止片１２が裏面に突出しないようにしてある。
【００１４】
上記のように構成された三角定規は、左右の斜辺体１，２と左右の底辺体３ａ、３ｂがいずれも端面を突き合わせた状態でヒンジ４によって連結されている。したがって、三角定規としての使用状態において、裏面は面一の平面をなすので、裏面を全面に亘り紙面などに当接させることができ、安定良く使用することができる。
折り畳む際には、左右の底辺体３ａ、３ｂの連結部を斜め上方へ持ち上げる。そうすると、左右の底辺体３ａ、３ｂがヒンジ４ｄを中心に回動する。同時に左右の底辺体３ａ、３ｂはヒンジ４ｂ、４ｃを中心に回動し、左右の斜辺体１，２はヒンジ４ａを中心に回動する。したがって、左右の底辺体３ａ、３ｂはヒンジ４ｄを中心に折り畳まれ、左右の斜辺体１，２はヒンジ４ａを中心に折り畳まれる。
その結果、左右の底辺体３ａ、３ｂの裏面同士が当接し、左底辺体３ａと左斜辺体１及び右底辺体３ｂと右斜辺体２の表面同士が当接し、折り畳まれる。ここで、左右の斜辺体１，２はヒンジ装着座５，５ａを備えており、これらヒンジ装着座の高さは底辺体の厚さと同等としてあるので、折り畳まれた底辺体３は無理なく左右の斜辺体１，２に挟まれる。
また、係止片１１，１２を設けてあるので、上記と逆方向への回動は阻止される。
【産業上の利用可能性】
【００１５】
この発明は、三角定規を折り畳み可能とすることにより携帯性が向上し、かつヒンジ結合としたので構成辺体間に段差が生ずることがなく裏面が平面となり、使用しやすいものであるなど、産業上の利用可能性を有するものである。
【図面の簡単な説明】
【００１６】
【図１】この発明実施形態の正面図
【図２】同じく背面図
【図３】同じく左右の斜辺体の結合部の分解斜視図
【図４】同じく左斜辺体と底辺体の結合部を示す分解斜視図
【図５】ヒンジを省略した正面図中央縦断面図
【図６】折り畳み途中を示す斜視図
【図７】ほぼ折り畳まれた状態の斜視図
【符号の説明】
【００１７】
１    左斜辺体
２    右斜辺体
３    底辺体
３ａ   左底辺体
３ｂ   右底辺体
４、４ａ、４ｂ、４ｃ、４ｄ    ヒンジ
５，５ａ  ヒンジ装着座
６    突起
７    切欠部
８    突起
９    凹部
１０  溝
１１，１２  係止片
【図１】
0004691622.tif 000002
【図２】
0004691622.tif 000003
【図３】
0004691622.tif 000004
【図４】
0004691622.tif 000005
【図５】
0004691622.tif 000006
【図６】
0004691622.tif 000007
【図７】
0004691622.tif 000008